(57)【要約】【課題】  欠陥管理情報を複数組記録できる欠陥情報領域と、欠陥情報領域から１組の欠陥管理情報を選択するための選択情報を複数組記録できる選択情報領域とを備えた情報記録媒体において、使用すべき欠陥管理情報を短時間で確実に特定する。【解決手段】  データエリアの欠陥を管理するための情報領域を有する情報記録媒体を対象とする。前記情報領域は、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成されている。前記選択情報は、当該選択情報が記録された際の最新の欠陥管理情報を記録した位置を示す情報であり、前記選択情報は、前記選択情報が更新されたことを示す履歴情報を含んでいる。【選択図】  図１
2006236552.tif 000002
【特許請求の範囲】
【請求項１】
データエリアの欠陥を管理するための情報領域を有する情報記録媒体であり、
前記情報領域は、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成され、
前記選択情報は、当該選択情報が記録された際の最新の欠陥管理情報を記録した位置を示す情報であり、
前記選択情報は、前記選択情報が更新されたことを示す履歴情報を含むことを特徴とする情報記録媒体。
【請求項２】
前記履歴情報は、前記選択情報を更新する毎に計数される更新回数データであることを特徴とする請求項１に記載の情報記録媒体。
【請求項３】
前記履歴情報は、前記選択情報の更新回数と同数のビットを０又は１とするフラグデータであることを特徴とする請求項１に記載の情報記録媒体。
【請求項４】
情報記録媒体のデータエリアに発生した欠陥の情報を前記情報記録媒体に記録し、前記データエリアの欠陥を管理する方法であり、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域とから構成された情報領域を有する情報記録媒体を用い、
前記情報記録媒体のデータエリアに発生した欠陥の管理情報を前記欠陥情報領域に記録するステップと、
前記欠陥情報領域内に記録された最新の欠陥管理情報の記録位置を示す情報である前記選択情報に、前記選択情報が更新されたことを示す履歴情報を含めて記録するステップを有することを特徴とする情報記録媒体の欠陥管理方法。
【請求項５】
前記選択情報を更新する毎に、前記履歴情報を更新することを特徴とする請求項４に記載の情報記録媒体の欠陥管理方法。
【請求項６】
情報記録媒体に記録された、データエリアの欠陥についての情報を再生し、その情報に基づいて前記データエリアの欠陥を管理する方法であり、
前記情報記録媒体として、前記データエリアに発生した欠陥の管理情報が複数組記録されている欠陥情報領域と、前記欠陥情報領域から１組の最新の前記欠陥管理情報を選択するための選択情報が複数組記録されている選択情報領域とから構成された情報領域を有すると共に、前記選択情報が、前記選択情報が更新されたことを示す履歴情報を含んでいる情報記録媒体を用い、
前記選択情報領域に記録された複数組の前記選択情報から最新の選択情報を前記履歴情報に基づいて特定するステップを有することを特徴とする情報記録媒体の欠陥管理方法。
【請求項７】
情報記録媒体に記録された、データエリアの欠陥についての情報を再生し、その情報に基づいて前記データエリアの欠陥を管理する方法であり、
前記情報記録媒体として、前記データエリアに発生した欠陥の管理情報が複数組記録されている欠陥情報領域と、前記欠陥情報領域から１組の最新の前記欠陥管理情報を選択するための選択情報を複数組記録することが可能な選択情報領域とから構成された情報領域を有すると共に、前記選択情報が、前記選択情報が更新されたことを示す履歴情報を含んでいる情報記録媒体を用い、
前記選択情報領域に記録された複数組の前記選択情報から最新の選択情報の候補を前記履歴情報に基づいて選定するステップと、
前記欠陥情報領域に記録された複数組の前記欠陥管理情報から最新の欠陥管理情報を前記候補に選定された選択情報に基づいて特定するステップを有することを特徴とする情報記録媒体の欠陥管理方法。
【請求項８】
情報記録媒体のデータエリアに対してデータの記録及び再生を行う情報記録再生装置であり、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域とから構成された情報領域を有する情報記録媒体を用い、
前記データエリアに発生した欠陥の管理情報を前記情報記録媒体の欠陥情報領域から再生し、前記欠陥管理情報を保持し、前記欠陥管理情報を前記情報記録媒体の欠陥情報領域に記録する欠陥管理ユニットと、
前記欠陥情報領域から１組の欠陥管理情報を選択するための選択情報を前記情報記録媒体の選択情報領域から再生し、前記選択情報を保持し、前記選択情報を前記情報記録媒体の選択情報領域に記録する選択管理ユニットと、
前記欠陥情報領域及び前記選択情報領域に記録された情報に基づいて、前記データエリアに対するデータの記録及び再生を制御する制御ユニットを有し、
前記選択管理ユニットは、前記欠陥情報領域内に記録された最新の欠陥管理情報の記録位置を示す情報である前記選択情報に、前記選択情報が更新されたことを示す履歴情報を含めて記録する機能を有することを特徴とする情報記録再生装置。
【請求項９】
前記選択管理ユニットは、前記選択情報を更新する毎に、前記履歴情報を更新する機能を有することを特徴とする請求項８に記載の情報記録再生装置。
【請求項１０】
情報記録媒体のデータエリアに対してデータの記録及び再生を行う情報記録再生装置であり、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有すると共に、前記選択情報が、前記選択情報が更新されたことを示す履歴情報を含んでいる情報記録媒体を用い、
前記データエリアに発生した欠陥の管理情報を前記情報記録媒体の欠陥情報領域から再生し、前記欠陥管理情報を保持し、前記欠陥管理情報を前記情報記録媒体の欠陥情報領域に記録する欠陥管理ユニットと、
前記欠陥情報領域から１組の欠陥管理情報を選択するための選択情報を前記情報記録媒体の選択情報領域から再生し、前記選択情報を保持し、前記選択情報を前記情報記録媒体の選択情報領域に記録する選択管理ユニットと、
前記欠陥情報領域及び前記選択情報領域に記録された情報に基づいて、前記データエリアに対するデータの記録及び再生を制御する制御ユニットを有し、
前記選択管理ユニットは、前記選択情報領域に記録された複数組の前記選択情報から最新の選択情報を前記履歴情報に基づいて特定する機能を有することを特徴とする情報記録再生装置。
【請求項１１】
情報記録媒体のデータエリアに対してデータの記録及び再生を行う情報記録再生装置であり、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有すると共に、前記選択情報が、前記選択情報が更新されたことを示す履歴情報を含んでいる情報記録媒体を用い、
前記データエリアに発生した欠陥の管理情報を前記情報記録媒体の欠陥情報領域から再生し、前記欠陥管理情報を保持し、前記欠陥管理情報を前記情報記録媒体の欠陥情報領域に記録する欠陥管理ユニットと、
前記欠陥情報領域から１組の欠陥管理情報を選択するための選択情報を前記情報記録媒体の選択情報領域から再生し、前記選択情報を保持し、前記選択情報を前記情報記録媒体の選択情報領域に記録する選択管理ユニットと、
前記欠陥情報領域及び前記選択情報領域に記録された情報に基づいて、前記データエリアに対するデータの記録及び再生を制御する制御ユニットを有し、
前記選択管理ユニットは、前記選択情報領域に記録された複数組の前記選択情報から最新の選択情報の候補を前記履歴情報に基づいて選定する機能を有し、
前記欠陥管理ユニットは、前記欠陥情報領域に記録された複数組の前記欠陥管理情報から最新の欠陥管理情報を前記候補に選定された選択情報に基づいて特定する機能を有することを特徴とする情報記録再生装置。
【請求項１２】
情報記録媒体のデータエリアに対してデータの再生を行う情報再生装置であり、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有すると共に、前記選択情報が、前記選択情報が更新されたことを示す履歴情報を含んでいる情報記録媒体を用い、
前記データエリアに発生した欠陥の管理情報を前記情報記録媒体の欠陥情報領域から再生し、前記欠陥管理情報を保持する欠陥管理ユニットと、
前記欠陥情報領域から１組の欠陥管理情報を選択するための選択情報を前記情報記録媒体の選択情報領域から再生し、前記選択情報と保持する選択管理ユニットと、
前記欠陥情報領域及び前記選択情報領域に記録された情報に基づいて、前記データエリアに対するデータの再生を制御する制御ユニットを有し、
前記選択管理ユニットは、前記選択情報領域に記録された複数組の前記選択情報から最新の選択情報を前記履歴情報に基づいて特定する機能を有することを特徴とする情報再生装置。
【請求項１３】
情報記録媒体のデータエリアに対してデータの再生を行う情報再生装置であり、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有すると共に、前記選択情報が、前記選択情報が更新されたことを示す履歴情報を含んでいる情報記録媒体を用い、
前記データエリアに発生した欠陥の管理情報を前記情報記録媒体の欠陥情報領域から再生し、前記欠陥管理情報を保持する欠陥管理ユニットと、
前記欠陥情報領域から１組の欠陥管理情報を選択するための選択情報を前記情報記録媒体の選択情報領域から再生し、前記選択情報を保持する選択管理ユニットと、
前記欠陥情報領域及び前記選択情報領域に記録された情報に基づいて、前記データエリアに対するデータの再生を制御する制御ユニットを有し、
前記選択管理ユニットは、前記選択情報領域に記録された複数組の前記選択情報から最新の選択情報の候補を前記履歴情報に基づいて選定する機能を有し、
前記欠陥管理ユニットは、前記欠陥情報領域に記録された複数組の前記欠陥管理情報から最新の欠陥管理情報を前記候補に選定された選択情報に基づいて特定する機能を有することを特徴とする情報再生装置。
【発明の詳細な説明】
【技術分野】
【０００１】
本発明は、欠陥情報領域を備えた例えば光ディスク媒体などの情報記録媒体、欠陥情報領域に記録される欠陥管理情報を管理する欠陥管理方法、欠陥情報領域を備えた情報記録媒体を使用する情報記録再生装置及び情報再生装置に関する。
【背景技術】
【０００２】
ある種の光ディスク媒体は、ユーザデータを格納するためのユーザエリアと予約されたスペアエリアとを備え、ユーザエリア内に発生する欠陥領域を、スペアエリア内の健全な領域と交替するための交替処理を行うよう作られている。この交替処理に関する欠陥管理情報を記録する領域は、ＤＭＡ（Defect Management Area）と呼ばれている。ＤＭＡには高い信頼性が必要とされる。
【０００３】
この交替処理を行う毎に交替情報が追加され、ＤＭＡに記録されるべき欠陥管理情報を更新する必要が生じるので、ＤＭＡの書き換え頻度は比較的高い。例えばＤＶＤ−ＲＡＭでは、ＤＭＡの書き換えが１０万回以上可能とされており、また、同一内容を有するＤＭＡを四箇所に設けることにより、高い信頼性を確保している。
【０００４】
一方、書き換えに対する耐性が低い情報記録媒体においては、特許文献１，２に示されるような対策が提案されている。
【０００５】
特許文献１には、同一内容の欠陥管理情報が記録される複数のＤＭＡを一組のＤＭＡセット（DMA set）とし、複数のＤＭＡセットが設けられる欠陥情報領域を準備しておき、使用中のＤＭＡセットが書き換えによって劣化して欠陥となった場合には、前記欠陥情報領域内の別のＤＭＡセットを使用することにより、欠陥管理情報の信頼性を確保する方法が示されている。
【０００６】
特許文献２には、欠陥管理情報が記録できる複数のＤＭＡセットにより構成される欠陥情報領域に加え、前記欠陥情報領域内の最新の欠陥管理情報が記録されているＤＭＡセットを示す選択情報を記録するための選択情報領域を設け、前記選択情報領域に記録されたＤＭＡセットの選択情報に基づいて、短時間で最新の欠陥管理情報が記録されているＤＭＡセットを特定する方式が示されている。前記選択情報をＤＭＡマネージャ（DMA manager）と呼ぶ。前記ＤＭＡマネージャはＤＭＡマネージャ領域に記録される。前記欠陥管理情報を記録する場合と同様に、ＤＭＡセットを選択するための同一内容の選択情報を記録した複数のＤＭＡマネージャ領域を一組のＤＭＡマネージャセット（DMA manager set）とすることにより、ＤＭＡセットを選択するための選択情報の信頼性を高めることができる。また、複数のＤＭＡマネージャセットが設けられるように前記選択情報領域を構成することにより、ＤＭＡマネージャセットの書き換えによる劣化にも対応することができる。
【０００７】
【特許文献１】特開２００４−３９０７６号公報
【特許文献２】特開２００４−２８８２８５号公報
【発明の開示】
【発明が解決しようとする課題】
【０００８】
しかしながら、一つのＤＭＡマネージャセットが複数のＤＭＡマネージャ領域からなる構成を採る場合には、次のような問題があった。
【０００９】
すなわち、前記ＤＭＡセットの選択情報を更新しようとした際に、突然の電源断及びリセットなどによる情報記録再生装置の停止、光ディスク媒体におけるディスク面の汚れによるディスク記録不良などの原因によって、一部のＤＭＡマネージャ領域において、前記選択情報を記録できないという事態が起こる。この事態が起こると、情報記録媒体上において、同一のＤＭＡマネージャセットに属していながらＤＭＡマネージャ領域相互に記録されている選択情報が食い違うという異常な状態が発生する。このような場合には、信頼できる選択情報が得られない。前記選択情報が得られない場合には、ＤＭＡセットを直接探索して最新のＤＭＡセットを選択することも可能であるが、探索すべきＤＭＡセットの数が多いときには、探索結果を得るまでには長い時間がかかる。
【００１０】
本発明の目的は、欠陥管理情報の一組を選択する選択情報を複数組記録することが可能な選択情報領域を有する構成において、選択情報の信頼性を向上できる情報記録媒体等を提供することにある。
【課題を解決するための手段】
【００１１】
前記目的を達成するため、本発明に係る情報記録媒体は、
データエリアの欠陥を管理するための情報領域を有する情報記録媒体であり、
前記情報領域は、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成され、
前記選択情報は、当該選択情報が記録された際における最新の欠陥管理情報の記録位置を示す情報であり、
前記選択情報は、前記選択情報を更新したことを示す履歴情報を含むことを特徴とするものである。
【００１２】
前記履歴情報としては、例えば、選択情報を更新する毎に計数される更新回数データ、または、選択情報の更新回数と同数のビットを０または１とするフラグデータを用いることが可能である。
【００１３】
したがって、本発明によれば、選択情報を更新したことを示す履歴情報を選択情報に付加することにより、ＤＭＡマネージャセットを構成する各ＤＭＡマネージャ領域に記録された選択情報が相違した場合など異常な状態であっても、前記履歴情報によって、最新の選択情報を把握することが可能となる。また、前記履歴情報を検索情報とすることで最新の選択情報を把握することが容易となる。それに伴って、使用すべき欠陥管理情報を、短時間で確実に特定することができる。
【００１４】
また、情報記録媒体のユーザエリアに発生する欠陥の情報を管理する本発明の情報記録媒体の欠陥管理方法は、
前記記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有する情報記録媒体を用い、
前記情報記録媒体のデータエリアに発生した欠陥の管理情報を前記欠陥情報領域に記録するステップと、
前記欠陥情報領域内に記録された際における最新の欠陥管理情報の記録位置を示す情報である前記選択情報に、前記選択情報が更新されたことを示す履歴情報を含めて記録するステップを有することを特徴とするものである。
【００１５】
また、本発明の情報記録媒体の欠陥管理方法は、
前記情報記録媒体として、前記データエリアに発生した欠陥の管理情報が複数組記録されている欠陥情報領域と、前記欠陥情報領域から１組の最新の前記欠陥管理情報を選択するための選択情報が複数組記録されている選択情報領域から構成された情報領域を有すると共に、前記選択情報が、前記選択情報が更新されたことを示す履歴情報を含んでいる情報記録媒体を用い、
前記選択情報領域に記録された複数組の前記選択情報から最新の選択情報を前記履歴情報に基づいて特定するステップを有することを特徴とするものである。
【００１６】
また、本発明の情報記録媒体の欠陥管理方法は、
前記選択情報領域に記録された複数組の前記選択情報から最新の選択情報の候補を前記履歴情報に基づいて選定するステップと、
前記欠陥情報領域に記録された複数組の前記欠陥管理情報から最新の欠陥管理情報を前記候補に選定された選択情報に基づいて特定するステップを有することを特徴とするものである。
【００１７】
また、情報記録媒体のユーザエリアに対してデータの記録及び再生を行う本発明の情報記録再生装置は、
前記記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有する情報記録媒体を用い、
前記データエリアに発生した欠陥の管理情報を前記情報記録媒体の欠陥情報領域から再生し、前記欠陥管理情報を保持し、前記欠陥管理情報を前記情報記録媒体の欠陥情報領域に記録する欠陥管理ユニットと、
前記欠陥情報領域から１組の欠陥管理情報を選択するための選択情報を前記情報記録媒体の選択情報領域から再生し、前記選択情報を保持し、前記選択情報を前記情報記録媒体の選択情報領域に記録する選択管理ユニットと、
前記欠陥情報領域及び前記選択情報領域に記録された情報に基づいて、前記データエリアに対するデータの記録及び再生を制御する制御ユニットを有し、
前記選択情報ユニットは、前記欠陥情報領域内に記録された最新の欠陥管理情報の記録位置を示す情報である前記選択情報に、前記選択情報が更新されたことを示す履歴情報を含めて記録する機能を有することを特徴とするものである。
【００１８】
また、本発明の情報記録再生装置は、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有すると共に、前記選択情報が、前記選択情報が更新されたことを示す履歴情報を含んでいる情報記録媒体を用い、
前記データエリアに発生した欠陥の管理情報を前記情報記録媒体の欠陥情報領域から再生し、前記欠陥管理情報を保持し、前記欠陥管理情報を前記情報記録媒体の欠陥情報領域に記録する欠陥管理ユニットと、
前記欠陥情報領域から１組の欠陥管理情報を選択するための選択情報を前記情報記録媒体の選択情報領域から再生し、前記選択情報を保持し、前記選択情報を前記情報記録媒体の選択情報領域に記録する選択管理ユニットと、
前記欠陥情報領域及び前記選択情報領域に記録された情報に基づいて、前記データエリアに対するデータの記録及び再生を制御する制御ユニットを有し、
前記選択管理ユニットは、前記選択情報領域に記録された複数組の前記選択情報から最新の選択情報を前記履歴情報に基づいて特定する機能を有することを特徴とするものである。
【００１９】
また、本発明の情報記録再生装置は、
前記選択管理ユニットは、前記選択情報領域に記録された複数組の前記選択情報から最新の選択情報の候補を前記履歴情報に基づいて選定する機能を有し、
前記欠陥管理ユニットは、前記欠陥情報領域に記録された複数組の前記欠陥管理情報から最新の欠陥管理情報を前記候補に選定された選択情報に基づいて特定する機能を有することを特徴とするものである。
【００２０】
また、情報記録媒体のユーザエリアに書込まれたデータを再生する本発明の情報再生装置は、
前記情報記録媒体として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成された情報領域を有すると共に、前記選択情報が、前記選択情報が更新されたことを示す履歴情報を含んでいる情報記録媒体を用い、
前記データエリアに発生した欠陥の管理情報を前記情報記録媒体の欠陥情報領域から再生し、前記欠陥管理情報を保持する欠陥管理ユニットと、
前記欠陥情報領域から１組の欠陥管理情報を選択するための選択情報を前記情報記録媒体の選択情報領域から再生し、前記選択情報と保持する選択管理ユニットと、
前記欠陥情報領域及び前記選択情報領域に記録された情報に基づいて、前記データエリアに対するデータの再生を制御する制御ユニットを有し、
前記選択管理ユニットは、前記選択情報領域に記録された複数組の前記選択情報から最新の選択情報を前記履歴情報に基づいて特定する機能を有することを特徴とするものである。
【００２１】
また、本発明の情報再生装置は、
前記選択管理ユニットは、前記選択情報領域に記録された複数組の前記選択情報から最新の選択情報の候補を前記履歴情報に基づいて選定する機能を有し、
前記欠陥管理ユニットは、前記欠陥情報領域に記録された複数組の前記欠陥管理情報から最新の欠陥管理情報を前記候補に選定された選択情報に基づいて特定する機能を有することを特徴とするものである。
【発明の効果】
【００２２】
以上説明したように本発明によれば、欠陥管理情報が複数組記録される欠陥情報領域と欠陥情報領域から１組の欠陥管理情報を選択するための選択情報が複数組記録される選択情報領域とを備えた情報記録媒体において、選択情報を更新したことを示す履歴情報を前記選択情報に付加することにより、前記履歴情報を検索情報として最新の選択情報を確実かつ容易に把握でき、使用すべき欠陥管理情報を短時間で特定することができる。
【発明を実施するための最良の形態】
【００２３】
以下、本発明の実施形態を図に基づいて詳細に説明する。
【００２４】
本発明の実施形態に係る情報記録媒体は基本的構成として、前記データエリアに発生した欠陥の管理情報を複数組記録することが可能な欠陥情報領域と、前記欠陥情報領域から１組の前記欠陥管理情報を選択するための選択情報を複数組記録することが可能な選択情報領域から構成される情報領域を有しており、
前記選択情報は、当該選択情報が記録された際の最新の欠陥管理情報を記録した位置を示す情報であり、
前記選択情報は、前記選択情報を更新したことを示す履歴情報を含んでいる。
【００２５】
（実施形態１）
次に、前記本発明の実施形態に係る情報記録媒体の具体例を実施形態１として説明する。図1に示す本実施形態に係るデータエリアの欠陥を管理するための情報領域を有する情報記録媒体として記録再生可能な光ディスク媒体を用いている。なお、前記情報記録媒体としては、光ディスク媒体に限られるものではない。前記情報領域に情報記録媒体の欠陥についての情報を記録して、欠陥管理を行うのに適合した情報記録媒体であれば、いずれのものであってもよい。また、前記データエリアは図１に示すユーザエリアとスペアエリア１，２を含む。
【００２６】
図１に示す光ディスク媒体に書込まれるデータは、６４ｋバイト毎にブロック化され、所定の手順でＥＣＣ（Error Collection Code）などが付加され、ブロック毎に記録される。また、光ディスク媒体に書込まれたデータを再生する場合には、エラー訂正を行いつつ６４ｋバイト毎に前記データを読出すことにより、データの再生が行われる。前記ブロックをＥＣＣブロックと呼ぶ。前記１つのＥＣＣブロックは３２個のセクタに相当し、したがって、光ディスク媒体上で一つのＥＣＣブロックを進むごとにアドレス情報であるＰＳＮ（Physical sector number）は２０ｈ進む。
【００２７】
図１に示す光ディスク媒体においては、図２（ｂ）に示すように、前記選択情報領域は１０組のＤＭＡマネージャセット＃１〜＃１０から構成され、ｎ番目のＤＭＡマネージャセット＃ｎは、２つのＤＭＡマネージャ領域（１−ｎ，２−ｎ）により構成されている。また、図２（ａ）に示すように、前記欠陥情報領域は１００組のＤＭＡセット＃１〜＃１００から構成され、ｍ番目のＤＭＡセット＃ｍは４つのＤＭＡ（１−ｍ，２−ｍ，３−ｍ，４−ｍ）によりそれぞれ構成されている。
【００２８】
前記ＤＭＡマネージャ領域は図２（ｂ）に示すように、各々、１ＥＣＣブロック分の広さをもつ領域であり、選択情報が記録可能になっている。ｎ番目のＤＭＡマネージャセットに属する２つのＤＭＡマネージャ領域（１−ｎ，２−ｎ）には、同一内容の選択情報が記録される。また前記ＤＭＡは図２（ａ）に示すように、各々、２ＥＣＣブロック分の広さをもつ領域であり、欠陥管理情報が記録可能になっている。ｍ番目のＤＭＡセットに属する４つのＤＭＡ（１−ｍ，２−ｍ，３−ｍ，４−ｍ）には、同一内容の欠陥管理情報が記録される。
【００２９】
図１に示す前記光ディスク媒体における内周側のリードイン（lead in）の領域ＭＡＮ１には、ＤＭＡマネージャセットに属する２つのＤＭＡマネージャ領域のうち、一方のＤＭＡマネージャ領域（１−１〜１−１０）が設けられ、外周側のリードアウト（lead out）の領域ＭＡＮ２には、他方のＤＭＡマネージャ領域（２−１〜２−１０）が設けられる。また、前記光ディスク媒体におけるリードインの領域ＤＭＡ１２には、ＤＭＡセットに属する４つのＤＭＡのうち、２つのＤＭＡ（１−１，２−１〜１−１００，２−１００）が設けられ、外周側のリードアウトの領域ＤＭＡ３４には残りの２つのＤＭＡ（３−１，４−１〜３−１００，４−１００）が設けられる。
【００３０】
前記リードインの領域ＭＡＮ１及び領域ＤＭＡ１２の詳細な配置を図３に示す。また、前記リードアウトの領域ＭＡＮ２及び領域ＤＭＡ３４の詳細な配置を図４に示す。なお、ＤＭＡセット及びＤＭＡマネージャセットの組数は図２、図３及び図４に示すものに限られるものではない。また、ＤＭＡセットに属するＤＭＡの個数や、ＤＭＡマネージャセットに属するＤＭＡマネージャ領域の個数も、図２、図３及び図４に示すものに限られるものではない。
【００３１】
図３に示す光ディスク媒体のリードインの領域ＭＡＮ１において、開始ＰＳＮが２ＣＥ００ｈであって終了ＰＳＮが２ＣＥ１Ｆｈである領域（１ＥＣＣブロック）がＤＭＡマネージャ領域１−１に割当てられる。また、開始ＰＳＮが２ＣＥ６０ｈであって終了ＰＳＮが２ＣＥ７Ｆｈである領域（１ＥＣＣブロック）がＤＭＡマネージャ領域１−２に割当てられる。ＤＭＡマネージャ領域１−３，１−４，・・・１−９に関しても同様に割当てられ、開始ＰＳＮが２Ｄ１６０ｈであって終了ＰＳＮが２Ｄ１７Ｆｈである領域（１ＥＣＣブロック）が最後尾のＤＭＡマネージャ領域１−１０に割当てられる。
【００３２】
図３に示す光ディスク媒体のリードインの領域ＤＭＡ１２において、開始ＰＳＮが２Ｄ１Ｃ０ｈであって終了ＰＳＮが２Ｄ１ＦＦｈである領域（２ＥＣＣブロック）がＤＭＡ１−１に割当てられる。また、開始ＰＳＮが２Ｄ２２０ｈであって終了ＰＳＮが２Ｄ２５Ｆｈである領域（２ＥＣＣブロック）がＤＭＡ２−１に割当てられる。ＤＭＡ１−２，２−２，・・・１−９９，２−９９，１−１００に関しても同様に割当てられ、開始ＰＳＮが８２Ｆ４Ａ０ｈであって終了ＰＳＮが８２Ｆ４ＤＦｈである領域（２ＥＣＣブロック）が最後尾のＤＭＡ２−１００に割当てられる。
【００３３】
図４に示す光ディスク媒体のリードアウトの領域ＭＡＮ２において、開始ＰＳＮが４ＥＤ７４０ｈであって終了ＰＳＮが４ＥＤ７５Ｆｈである領域（１ＥＣＣブロック）がＤＭＡマネージャ領域２−１に割当てられる。また、開始ＰＳＮが４ＥＤ７Ａ０ｈであって終了ＰＳＮが４ＥＤ７ＢＦｈである領域（１ＥＣＣブロック）がＤＭＡマネージャ領域２−２に割当てられる。ＤＭＡマネージャ領域２−３，２−４，・・・２−９に関しても同様に割当てられ、開始ＰＳＮが４ＥＤＡＡ０ｈであって終了ＰＳＮが４ＥＤＡＢＦｈである領域（１ＥＣＣブロック）が最後尾のＤＭＡマネージャ領域２−１０に割当てられる。
【００３４】
図４に示す光ディスク媒体のリードアウトの領域ＤＭＡ３４において、開始ＰＳＮが４ＥＤＢ００ｈであって終了ＰＳＮが４ＥＤＢ３Ｆｈである領域（２ＥＣＣブロック）がＤＭＡ３−１に割当てられる。また、開始ＰＳＮが４ＥＤＢ６０ｈであって終了ＰＳＮが４ＥＤＢ９Ｆｈである領域（２ＥＣＣブロック）がＤＭＡ４−１に割当てられる。ＤＭＡ３−２，４−２，・・・３−９９，４−９９，３−１００に関しても同様に割当てられ、開始ＰＳＮがＣＥＦＤＥ０ｈであって終了ＰＳＮがＣＥＦＥ１Ｆｈである領域（２ＥＣＣブロック）が最後尾のＤＭＡ４−１００に割当てられる。
【００３５】
この光ディスク媒体では、前記領域ＭＡＮ１及び前記領域ＭＡＮ２のそれぞれに格納される各ＤＭＡマネージャ領域は一つのＥＣＣブロックに相当しており、前記領域ＤＭＡ１２及び前記領域ＤＭＡ３４のそれぞれに確保される各ＤＭＡは二つのＥＣＣブロックに相当している（図２（ａ）及び（ｂ）参照）。
【００３６】
前記２つのＤＭＡマネージャ領域にそれぞれ記録される選択情報は、図５に示す６４バイトの情報ユニットを１０２４回繰り返したデータ構造を有している。ここに、前記選択情報は、前記ＤＭＡセットを選択するための選択情報であって、当該選択情報が記録された際の最新の欠陥管理情報を記録した位置を示す情報である。すなわち、図５に示すように、６４バイトの情報ユニットは、Ｉｄｅｎｔｉｆｉｅｒ（００１０ｈ）と、使用中のＤＭＡセットの位置情報として四つのＤＭＡの開始ＰＳＮを含み、更にバイト位置４〜７に更新回数カウント値データを格納する領域であるＤＭＡマネージャ・アップデートカウンタ（DMA Manager update counter）を含む。ＤＭＡマネージャ・アップデートカウンタの値（更新回数データ）は、光ディスク媒体を初期化した際に００ｈに初期化され、選択情報の内容を更新する毎にインクリメント（＋１）される。したがって、ＤＭＡマネージャ・アップデートカウンタの値の最も大きな選択情報が記録されたＤＭＡマネージャセットを、最新の選択情報が記録されたＤＭＡマネージャセットであるとして判定することができる。
【００３７】
以上の説明において、実施形態１のＤＭＡマネージャ・アップデートカウンタの値が、前記選択情報を更新したことを示す履歴情報に相当するものである。
【００３８】
また、ＤＭＡマネージャ・アップデートカウンタの値は、更新毎にインクリメント（＋１）するようにしたが、これに限られるものではない。ＤＭＡマネージャ・アップデートカウンタの値は、更新毎にデクリメント（−１）するよう構成してもよい。前記のようにデクリメント（−１）する場合は、ＤＭＡマネージャ・アップデートカウンタの値（更新回数データ）は、光ディスク媒体を初期化した際に最大値に初期化され、ＤＭＡマネージャ・アップデートカウンタの値の最も小さな選択情報が記録されたＤＭＡマネージャセットが最新の選択情報を記録したＤＭＡマネージャセットとなる。また、ＤＭＡマネージャ・アップデートカウンタの値は、光ディスク媒体の初期化時に初期化せず、初期化前の値を引き継ぐよう構成してもよい。更に、ＤＭＡマネージャ・アップデートカウンタの値（更新回数データ）は、選択情報の内容が更新されない場合でも、ＤＭＡマネージャ領域を書き換える毎に計数してもよい。
【００３９】
（実施形態２）
実施形態１に係る光ディスク媒体においては、図５に示すように、履歴情報として、前記選択情報を更新する毎に計数される更新回数データ（ＤＭＡマネージャ・アップデートカウンタの値）を用いたが、これに限られるものではない。図１０に示すように、履歴情報として、前記選択情報の更新回数と同数のビットを０又は１とするフラグデータを用いてよいものである。具体的に説明する。
【００４０】
本実施形態に係る情報記録媒体は、一例として実施形態１と同様に記録再生可能な光ディスク媒体を用いている。本実施形態に係る光ディスク媒体は図１０に示すように、選択情報の構成が実施形態１の光ディスク媒体と異なる。選択情報は、６４バイトの情報ユニットを１０２４回繰り返したデータ構造を持ち、２つのＤＭＡマネージャ領域に記録される。６４バイトの情報ユニットは、Ｉｄｅｎｔｉｆｉｅｒ（００１０ｈ）と、使用中のＤＭＡセットの位置情報として四つのＤＭＡの開始ＰＳＮとを含み、更にバイト位置３２〜３９に更新回数を値が１であるビットの数で示すフラグデータを格納する領域であるＤＭＡマネージャ・アップデートフラグ（update flag）を含む。ＤＭＡマネージャ・アップデートフラグは、光ディスク媒体を初期化した際に、全てのビットを０に初期化され、次に選択情報の内容を更新したときにはバイト３２のビット０を値１に、更に選択情報の内容を更新したときにはバイト３２のビット０及びビット１を値１とされる。以降、選択情報を更新する毎に、ＤＭＡマネージャ・アップデートフラグ内で値１となるビットを増やしていく。本実施形態では、値が１のビットの最も多いＤＭＡマネージャ・アップデートフラグを持つ選択情報が最新であると判定できる。以上のように、図１０に示す実施形態における選択情報に含められる履歴情報は、選択情報の更新回数と同数のビットを値１とするフラグデータである。
【００４１】
また、ＤＭＡマネージャ・アップデートフラグは、光ディスク媒体を初期化した際に、全てのビットを１に初期化し、選択情報を更新する毎に、ＤＭＡマネージャ・アップデートフラグ内で値０となるビットを増やしていくよう構成することもできる。この場合は、値が０のビットの最も多いＤＭＡマネージャ・アップデートフラグを持つ選択情報が最新であると判定できる。
【００４２】
（実施形態３）
次に、実施形態に係る情報記録媒体を用い、そのデータエリア（ユーザエリア及びスペアエリア）に対してデータの記録及び再生を行う本発明の実施形態に係る情報記録再生装置を実施形態３として説明する。
【００４３】
本実施形態の情報記録再生装置は図９に示すように、図１に示す情報記録媒体としての光ディスク媒体１１にデータを記録する、或いは記録されたデータを再生する機能を有する光ディスク記録再生装置１０である。光ディスク記録再生装置１０は、光ヘッド１２と、位置決め制御回路１３と、記録制御回路１４と、変調回路１５と、信号処理回路１６と、復調回路１７及び主制御回路（ドライブコントローラ）１８を備えている。
【００４４】
前記主制御回路１８は、前記光ディスク媒体１１の欠陥情報領域（図２（ａ）に示す欠陥情報領域）に対する前記光ディスク媒体１１のデータエリアに発生した欠陥の欠陥管理情報の記録及び再生を制御する欠陥管理ユニット１８ａと、前記光ディスク媒体１１の選択情報領域（図２（ｂ）に示す選択情報領域）に対する前記光ディスク媒体１１の欠陥情報領域から１組の欠陥管理情報を選択するための選択情報の記録及び再生を制御する選択管理ユニット１８ｂと、前記欠陥情報領域及び前記選択情報領域に記録された情報に基づいて前記データエリアに対するデータの記録及び再生を制御する制御ユニット１８ｃを有している。
【００４５】
図９では、接続関係を図示していないが、主制御回路１８の欠陥管理ユニット１８ａ、選択管理ユニット１８ｂ及び制御ユニット１８ｃは、光ヘッド１２と、位置決め制御回路１３と、記録制御回路１４と、変調回路１５と、信号処理回路１６と、復調回路１７を制御する機能を備えている。さらに、制御ユニット１８ｃは前記データの書込みを制御する際に、光ディスク媒体１１内のユーザエリア（スペアエリアを含む）内に発生する欠陥領域を、健全な他のスペアエリアの領域に交替するための交替処理を実施する機能を有している。
【００４６】
前記主制御回路１８はＣＰＵ（中央処理装置）から構成され、前記ＣＰＵがメモリに記憶されたプログラムを逐次読出して、前記欠陥管理ユニット１８ａ、前記選択管理ユニット１８ｂ及び制御ユニット１８ｃの機能を実行するようになっている。
【００４７】
まず、図９に示す光ディスク記録再生装置１０により光ディスク媒体１１にデータを記録する動作について説明する。変調回路１５は制御ユニット１８ｃによる制御の下に、外部から記録データが入力すると、その記録データを６４ｋバイト毎にブロック化すると共に、そのブロック化されたデータに所定の手順によりＥＣＣなどの情報を付加し、チャネルビット列の記録データに変調する。
【００４８】
記録制御回路１４は制御ユニット１８ｃの制御の下に、変調回路１５からチャネルビット列の記録データを受取ると、その記録データに基づいて光ヘッド１２を制御し、チャネルビット列に対応した記録データを光ディスク媒体１１に記録する。光ディスク媒体１１へデータを記録する動作を具体的に説明する。
【００４９】
前記データの記録を行う際には、前記データを記録しようとする領域が、交替処理の対象となっているか否かを知る必要がある。そのため、選択管理ユニット１８ｂは、光ヘッド１２，位置決め制御回路１３，信号処理回路１６及び復調回路１７を駆動制御して、光ディスク媒体１１の選択情報領域（図２（ｂ））に記録された選択情報を読み出す。さらに、欠陥管理ユニット１８ａは、光ヘッド１２，位置決め制御回路１３，信号処理回路１６及び復調回路１７を駆動制御して、光ディスク媒体１１の欠陥情報領域（図２（ａ））に記録された欠陥管理情報を読み出す。欠陥管理ユニット１８ａは、最新の欠陥管理情報を保持し、制御ユニット１８ｃに欠陥管理情報を提供する。選択情報及び欠陥管理情報の再生は、選択管理ユニット１８ｂ及び欠陥管理ユニット１８ａが光ディスク媒体１１についての最新の選択情報及び欠陥管理情報を保持していれば、省略することができる。
【００５０】
制御ユニット１８ｃは、欠陥管理情報に基づいて、記録しようとする領域の位置情報を演算し、前記位置情報を位置決め制御回路１３に出力する。
【００５１】
光ディスク媒体１１にデータを記録する際に、位置決め制御回路１３は制御ユニット１８ｃの制御の下に、光ヘッド１２から出力されるレーザビームを記録すべき位置に位置決めする。記録制御回路１４は制御ユニット１８ｃの制御の下に、変調回路１５から出力されるチャネルビット列に対応して、光ヘッド１２を制御する。光ヘッド１２は、レーザビームを光ディスク媒体１１の記録すべき位置に出射し、チャネルビット列に対応した記録データを光ディスク媒体１１の記録面に記録する。
【００５２】
記録したデータが正常に再生できるか検証することが求められる場合には、続けて検証動作を行う。検証を行わない場合には、ここで光ディスク媒体１１へデータを記録する動作は完了する。
【００５３】
検証を行う場合に、制御ユニット１８ｃは、光ヘッド１２，信号処理回路１６及び復調回路１７を駆動制御して、光ディスク媒体１１への記録データの記録結果を検証する。すなわち、光ディスク媒体１１の記録データを光ヘッド１２により読出し、その信号を信号処理回路１６により処理させて、その処理信号を復調回路１７に入力する。復調回路１７は、光ディスク媒体１１からの再生データの処理状態を制御ユニット１８ｃに出力する。制御ユニット１８ｃは、復調回路１７が再生データを正常に処理できた場合には、記録が正常に完了したことを検証できたものと判定する。この場合は、ここで光ディスク媒体１１へデータを記録する動作は完了する。
【００５４】
これに対して、復調回路１７が記録されたデータに異常があると判定した場合に、制御ユニット１８ｃは、前記交替処理を実行する。すなわち、制御ユニット１８ｃは、復調回路１７から記録されたデータに異常があることを通知されると、当該領域が欠陥領域であると判定する。さらに、制御ユニット１８ｃは、欠陥管理ユニット１８ａから提供される欠陥管理情報に基づいて、ユーザエリア内に発生した欠陥領域をスペアエリア内の健全な領域に交替するための処理モードに移行する。
【００５５】
制御ユニット１８ｃは、新たに判明した欠陥領域に対応して、スペアエリア内に新たな交替先領域を割り当て、その位置情報を位置決め制御回路１３に出力する。位置決め制御回路１３は、制御ユニット１８ｃから位置情報を受取ると、光ヘッド１２を駆動して、光ヘッド１２によるレーザビームの集光位置を制御する。制御ユニット１８ｃは、変調回路１５、記録制御回路１４を用いて、再び記録データを光ディスク媒体１１の記録面に書込む。
【００５６】
検証のため、制御ユニット１８ｃは、データを記録した交替先領域から読出し、その読出し信号を信号処理回路１６、復調回路１７に処理させる。制御ユニット１８ｃは、復調回路１７から再生が正常に終了したことを判定した旨の信号を受取ると、新たな交替処理が行われたこと及び、新たに判明した欠陥領域と対応する交替先領域に関する情報を欠陥管理ユニット１８ａに通知し、欠陥管理情報を更新させる。欠陥管理情報が正常に更新できた場合には、光ディスク媒体１１へデータを記録する動作は完了する。
【００５７】
次に、光ディスク記録再生装置１０により光ディスク媒体１１の記録データを再生する動作について説明する。光ヘッド１２は、レーザビームを光ディスク媒体１１に照射して記録データを再生し、そのデータを信号処理回路１６に出力する。
【００５８】
信号処理回路１６は制御ユニット１８ｃの制御の下に、光ヘッド１２から入力したデータをチャネルビット列に変換する。復調回路１７は制御ユニット１８ｃの制御の下に、信号処理回路１６から入力するチャネルビット列のデータに６４ｋバイト毎にエラー訂正などの処理を施し、これを再生データとして外部に出力する。光ディスク媒体１１からデータを再生する動作を具体的に説明する。
【００５９】
前記データの再生を行う際には、前記データを再生しようとする領域が、交替処理の対象となっているか否かを知る必要がある。そのため、選択管理ユニット１８ｂは、光ヘッド１２，位置決め制御回路１３，信号処理回路１６及び復調回路１７を駆動制御して、光ディスク媒体１１の選択情報領域（図２（ｂ））に記録された選択情報を読み出す。さらに、欠陥管理ユニット１８ａは、光ヘッド１２，位置決め制御回路１３，信号処理回路１６及び復調回路１７を駆動制御して、光ディスク媒体１１の欠陥情報領域（図２（ａ））に記録された欠陥管理情報を読み出す。欠陥管理ユニット１８ａは、最新の欠陥管理情報を保持し、制御ユニット１８ｃに欠陥管理情報を提供する。選択情報及び欠陥管理情報の再生は、選択管理ユニット１８ｂ及び欠陥管理ユニット１８ａが光ディスク媒体１１についての最新の選択情報及び欠陥管理情報を保持していれば、省略することができる。
【００６０】
制御ユニット１８ｃは、欠陥管理情報に基づいて、再生しようとする領域の位置情報を演算し、前記位置情報を位置決め制御回路１３に出力する。
【００６１】
位置決め制御回路１３は、制御ユニット１８ｃから位置情報を受取ると、光ヘッド１２を駆動して、光ヘッド１２によるレーザビームを再生すべき位置に位置決めする。光ヘッド１２は、光ディスク媒体１１から記録されているデータを読出す。前記光ヘッド１２で読出された信号は、信号処理回路１６及び復調回路１７によりそれぞれ処理されて、外部に出力される。このような処理を経て、欠陥のユーザエリアから正常なスペアエリアに交替して記録されたデータであっても、制御ユニット１８ｃの制御の下に確実に再生される。
【００６２】
以上では、光ディスク記録再生装置１０での、光ディスク媒体１１へデータを記録する動作、光ディスク媒体１１からデータを再生する動作について説明した。データを記録する動作については、新たな欠陥が発見された場合には、欠陥管理情報が更新されることを説明した。
欠陥管理情報の更新によって、使用しているＤＭＡセットが使用に適さなくなった場合には、これまで使用してきたＤＭＡセットに代えて、他のＤＭＡセットを使用開始する。この動作に伴って、選択情報の更新が必要となる。
【００６３】
次に、光ディスク媒体１１上の欠陥管理情報、選択情報を更新する動作を説明する。この動作も、図９に示す情報記録再生装置において行われる。
【００６４】
以下の説明では、図６に示すように、１００組のＤＭＡセットと、１０組のＤＭＡマネージャセットが存在し、１番目のＤＭＡセット＃１及び１番目のＤＭＡマネージャセット＃１が使用可能であることを前提として説明する。
【００６５】
ＤＭＡセット＃１及びＤＭＡマネージャセット＃１が使用可能であれば、光ディスク媒体を初期化した直後のＤＭＡセット及びＤＭＡマネージャセットの使用状況は図６に示すようになる。図６に示すように、ＤＭＡマネージャセット＃１は、２つのＤＭＡマネージャ領域１−１及びＤＭＡマネージャ領域２−１から構成され、ＤＭＡセット＃１は、４つのＤＭＡ１−１，ＤＭＡ２−１，ＤＭＡ３−１及びＤＭＡ４−１から構成されている。また、前記ＤＭＡマネージャ領域１−１，２−１には、同一内容の選択情報が記録され、前記ＤＭＡ１−１，２−１，３−１及び４−１には、同一内容の欠陥管理情報が記録される。また、前記ＤＭＡマネージャ領域１−１，２−１には、ＤＭＡ１−１，２−２，３−１及び４−１を指し示す選択情報が記録されている。使用すべき欠陥管理情報は、ＤＭＡ１−１，２−１，３−１及び４−１に記録された欠陥管理情報である。
【００６６】
図６に示す状態では、ＤＭＡセット＃２〜＃１００、ＤＭＡマネージャセット＃２〜＃１０は未使用である。未使用であることを明示するため、前記ＤＭＡセット＃２〜＃１００及びＤＭＡマネージャセット＃２〜＃１０の領域を特別なデータ構造や特別なバイトデータ、例えばＦＦｈで埋めてもよい。また、光ディスク媒体を初期化した場合、選択管理ユニット１８ｂは、図５に示す選択情報のデータ構造の１つであるＤＭＡマネージャ・アップデートカウンタの値を００ｈに初期化し、前記ＤＭＡマネージャ領域１−１及び２−１に記録する。
【００６７】
図１に示す光ディスク媒体のユーザエリアにデータを書込む際に、光ディスク媒体の欠陥が前記ユーザエリアの一部にあることが判明し、制御ユニット１８ｃが交替処理を行った場合、ＤＭＡセット＃１及びＤＭＡマネージャセット＃１の記録内容を以下の手順で更新処理する。図５に示す選択情報のデータ構造の１つであるＤＭＡマネージャ・アップデートカウンタの値が００ｈであるものとする。
【００６８】
先ず、ステップ１において、欠陥管理ユニット１８ａは、制御ユニット１８ｃから交替処理が行われたことを通知されると、交替処理に伴う情報を入手し、保持している欠陥管理情報を変更する。
【００６９】
さらに、欠陥管理ユニット１８ａは、位置決め回路１３を制御し、変更した欠陥管理情報を変調回路１５及び記録制御回路１４に通して光ヘッド１２に出力して、現在使用中であるＤＭＡセット＃１に含まれる４つのＤＭＡ１−１，２−１，３−１及び４−１に、光ディスク媒体１１についての欠陥管理情報を記録する。
【００７０】
次にステップ２に処理を移行して、欠陥管理ユニット１８ａは、位置決め回路１３，光ヘッド１２，信号処理回路１６及び復調回路１７を駆動制御してＤＭＡ１−１，２−１，３−１及び４−１を再生し、ＤＭＡセット＃１の記録後の状態をチェックする。
【００７１】
前記ステップ２において、ＤＭＡセット＃１が正常に更新できたと判定された場合には、使用するＤＭＡセットは変更されないため、選択情報は変更する必要がない。したがって、ここで、光ディスク媒体１１上の欠陥管理情報、選択情報を更新する動作は完了する。この場合は、欠陥管理情報の内容は変更されたが、光ディスク媒体１１の欠陥管理情報領域、選択情報領域は図６に示す状態のままであり、選択情報としてＤＭＡマネージャセット＃１に記録された選択情報を使用しており、欠陥管理情報としてＤＭＡセット＃１に記録された欠陥管理情報を使用している。ＤＭＡマネージャセット＃１に記録された選択情報はＤＭＡセット＃１を指し示すことになる。
【００７２】
ＤＭＡセット＃１が、書換え劣化などの原因によって、正常に更新できなかったと判定された場合には、ステップ３の処理に移行する。
【００７３】
ステップ３において、欠陥管理ユニット１８ａは、ＤＭＡセットへの欠陥管理情報の記録動作と、ＤＭＡセットの記録後の状態をチェックする動作を繰り返して行い、欠陥管理情報の更新記録が正常に可能であったＤＭＡセットが発見できるまで、ＤＭＡセット＃２〜＃１００を順次探索する。前記探索したＤＭＡセットがＤＭＡセット＃２であるとすると、欠陥管理ユニット１８ａは、ＤＭＡセット＃１に代えて、探索した新たなＤＭＡセット＃２の使用を開始する。前記ＤＭＡセット＃２には、４つのＤＭＡ１−２，２−２，３−２及び４−２が含まれる。
【００７４】
欠陥管理ユニット１８ａは、使用するＤＭＡセットを変更したこと及び新たに使用開始したＤＭＡセットに関する情報を選択管理ユニット１８ｂに通知する。ステップ４の処理に移行する。
【００７５】
前記ＤＭＡセット＃２を使用することになった場合、ＤＭＡマネージャセット＃１に記録された選択情報はＤＭＡセット＃１を指し示したままであり、新たに使用を開始したＤＭＡセット＃２を指し示すように変更する必要がある。
【００７６】
そこで、ステップ４において、選択管理ユニット１８ｂは、欠陥管理ユニット１８ｂから使用するＤＭＡセットを変更したことを通知されると、新たに使用開始したＤＭＡセットに関する情報を入手し、保持している選択情報を変更する。選択情報の情報ユニットのバイト位置８to１１，１２to１５，１６to１９及び２０to２３の情報を、前記ＤＭＡセット＃２の４つのＤＭＡ１−２，２−２，３−２及び４−２の開始ＰＳＮに変更し、バイト位置４to７に対応するＤＭＡマネージャ・アップデートカウンタの値を更新する。ＤＭＡマネージャセット＃１におけるＤＭＡマネージャ・アップデートカウンタの値は００ｈであったので、前記００ｈをインクリメント（＋１）した値０１ｈに更新する。
【００７７】
さらに、選択管理ユニット１８ｂは、位置決め回路１３を制御し、変更した選択情報を変調回路１５及び記録制御回路１４に通して光ヘッド１２に出力して、ＤＭＡマネージャセット＃１に含まれる２つのＤＭＡマネージャ領域１−１，２−１に、光ディスク媒体１１についての選択情報を記録する。
【００７８】
次にステップ５に処理を移行して、選択管理ユニット１８ｂは、位置決め回路１３，光ヘッド１２，信号処理回路１６及び復調回路１７を駆動制御してＤＭＡマネージャ領域１−１，２−１を再生し、ＤＭＡマネージャセット＃１の記録後の状態をチェックする。
【００７９】
ＤＭＡマネージャセット＃１が正常に更新できたと判定された場合には、ここで、光ディスク媒体１１上の欠陥管理情報、選択情報を更新する動作は完了する。この場合は、光ディスク媒体１１の欠陥情報領域、選択情報領域は図７に示す状態にあり、選択情報としてＤＭＡマネージャセット＃１に記録された選択情報を使用しており、欠陥管理情報としてＤＭＡセット＃２に記録された欠陥管理情報を使用している。ＤＭＡマネージャセット＃１に記録された選択情報はＤＭＡセット＃２を指し示すことになる。
【００８０】
さらに、ＤＭＡマネージャセットが正常に更新できなかった場合について述べる。光ディスク媒体１１の欠陥情報領域、選択情報領域は図７に示す状態にあり、さらなるデータエリアへの記録動作に伴って、新たな交替処理が発生したものとする。
【００８１】
先ず、ステップ１において、欠陥管理ユニット１８ａは、制御ユニット１８ｃから交替処理が行われたことを通知されると、交替処理に伴う情報を入手し、保持している欠陥管理情報を変更する。
さらに、欠陥管理ユニット１８ａは、位置決め回路１３を制御し、変更した欠陥管理情報を変調回路１５及び記録制御回路１４に通して光ヘッド１２に出力して、現在使用中であるＤＭＡセット＃２に含まれる４つのＤＭＡ１−２，２−２，３−２及び４−２に、光ディスク媒体１１についての欠陥管理情報を記録する。
【００８２】
次にステップ２に処理を移行して、欠陥管理ユニット１８ａは、位置決め回路１３，光ヘッド１２，信号処理回路１６及び復調回路１７を駆動制御してＤＭＡ１−２，２−２，３−２及び４−２を再生し、ＤＭＡセット＃２の記録後の状態をチェックする。
【００８３】
前記ステップ２において、ＤＭＡセット＃２が正常に更新できたと判定された場合には、使用するＤＭＡセットは変更されないため、選択情報は変更する必要がない。したがって、ここで、光ディスク媒体１１上の欠陥管理情報、選択情報を更新する動作は完了する。この場合は、欠陥管理情報の内容は変更されたが、光ディスク媒体１１の欠陥情報領域、選択情報領域は図７に示す状態のままであり、選択情報としてＤＭＡマネージャセット＃１に記録された選択情報を使用しており、欠陥管理情報としてＤＭＡセット＃２に記録された欠陥管理情報を使用している。ＤＭＡマネージャセット＃１に記録された選択情報はＤＭＡセット＃２を指し示すことになる。
【００８４】
ＤＭＡセット＃２が、書換え劣化などの原因によって、正常に更新できなかったと判定された場合には、ステップ３の処理に移行する。
【００８５】
ステップ３において、欠陥管理ユニット１８ａは、ＤＭＡセットへの欠陥管理情報の記録動作と、ＤＭＡセットの記録後の状態をチェックする動作を繰り返して行い、欠陥管理情報の更新記録が正常に可能であったＤＭＡセットが発見できるまで、ＤＭＡセット＃３〜＃１００を順次探索する。前記探索したＤＭＡセットがＤＭＡセット＃３であるとすると、欠陥管理ユニット１８ａは、ＤＭＡセット＃２に代えて、探索した新たなＤＭＡセット＃３の使用を開始する。前記ＤＭＡセット＃３には、４つのＤＭＡ１−３，２−３，３−３及び４−３が含まれる。
【００８６】
欠陥管理ユニット１８ａは、使用するＤＭＡセットを変更したこと及び新たに使用開始したＤＭＡセットに関する情報を選択管理ユニット１８ｂに通知する。ステップ４の処理に移行する。
【００８７】
前記ＤＭＡセット＃３を使用することになった場合、ＤＭＡマネージャセット＃１に記録された選択情報はＤＭＡセット＃２を指し示したままであり、新たに使用を開始したＤＭＡセット＃３を指し示すように変更する必要がある。
【００８８】
そこで、ステップ４において、選択管理ユニット１８ｂは、欠陥管理ユニット１８ｂから使用するＤＭＡセットを変更したことを通知されると、新たに使用開始したＤＭＡセットに関する情報を入手し、保持している選択情報を変更する。選択情報の情報ユニットのバイト位置８to１１，１２to１５，１６to１９及び２０to２３の情報を、前記ＤＭＡセット＃３の４つのＤＭＡ１−３，２−３，３−３及び４−３の開始ＰＳＮに変更し、バイト位置４to７に対応するＤＭＡマネージャ・アップデートカウンタの値を更新する。図７に示す状態では、ＤＭＡマネージャセット＃１におけるＤＭＡマネージャ・アップデートカウンタの値は０１ｈであったので、前記０１ｈをインクリメント（＋１）した値０２ｈに更新する。
【００８９】
さらに、選択管理ユニット１８ｂは、位置決め回路１３を制御し、変更した選択情報を変調回路１５及び記録制御回路１４に通して光ヘッド１２に出力して、ＤＭＡマネージャセット＃１に含まれる２つのＤＭＡマネージャ領域１−１，２−１に、光ディスク媒体１１についての選択情報を記録する。
【００９０】
次にステップ５に処理を移行して、選択管理ユニット１８ｂは、位置決め回路１３，光ヘッド１２，信号処理回路１６及び復調回路１７を駆動制御してＤＭＡマネージャ領域１−１，２−１を再生し、ＤＭＡマネージャセット＃１の記録後の状態をチェックする。
【００９１】
ＤＭＡマネージャセット＃１が正常に更新できたと判定された場合には、ここで、光ディスク媒体１１上の欠陥管理情報、選択情報を更新する動作は完了する。
【００９２】
ＤＭＡマネージャセット＃１が、書き換え劣化などの原因で、正常に更新できなかったと判定された場合には、ステップ６の処理に移行する。
【００９３】
ステップ６において、選択管理ユニット１８ｂは、ＤＭＡマネージャセットへの選択情報の記録動作と、ＤＭＡマネージャセットの記録後の状態をチェックする動作を繰り返して行い、選択情報の更新記録が正常に可能であったＤＭＡマネージャセットが発見できるまで、ＤＭＡマネージャセット＃２〜＃１０を順次探索する。前記探索したＤＭＡマネージャセットがＤＭＡマネージャセット＃２であるとする。前記ＤＭＡマネージャセット＃２には、４つのＤＭＡマネージャ領域１−２，２−２が含まれる。
【００９４】
前記ステップ６において、選択管理ユニット１８ａは、選択情報の更新記録が正常に可能であったＤＭＡマネージャセットがＤＭＡマネージャセット＃２であることを探索した場合に、探索した新たなＤＭＡマネージャセット＃２の使用を開始する。
【００９５】
ここで、光ディスク媒体１１上の欠陥管理情報、選択情報を更新する動作は完了する。この場合は、光ディスク媒体１１の欠陥情報領域、選択情報領域は図８に示す状態にあり、選択情報としてＤＭＡマネージャセット＃２に記録された選択情報を使用しており、欠陥管理情報としてＤＭＡセット＃３に記録された欠陥管理情報を使用している。ＤＭＡマネージャセット＃２に記録された選択情報はＤＭＡセット＃３を指し示すことになる。
【００９６】
次に、欠陥管理ユニット１８ａ及び選択管理ユニット１８ｂが、選択情報に基づいて、使用すべき最新の欠陥管理情報が記録されたＤＭＡセットを特定する手順を説明する。光ディスク記録再生装置１０は、光ディスク媒体１１のユーザエリアにデータを記録または再生することに先立って、光ディスク媒体１１についての欠陥管理情報を入手しておく必要がある。
【００９７】
選択管理ユニット１８ｂは、光ヘッド１２、位置決め制御回路１３、信号処理回路１６及び復調回路１７を用いて、ＤＭＡマネージャセット＃１〜＃１０の全ての領域から記録内容を読み出す。そして、選択管理ユニット１８ｂは、エラー訂正可能であり、かつ有効なデータ構造が記録されたＤＭＡマネージャ領域のうち、ＤＭＡマネージャ・アップデートカウンタの値の最も大きな選択情報が記録されたＤＭＡマネージャ領域が属するＤＭＡマネージャセットを、使用すべき最新の選択情報が記録されたＤＭＡマネージャセットとして選定する。また、選択管理ユニット１８ｂは、選定したＤＭＡマネージャセットに記録された選択情報のうち、ＤＭＡマネージャ・アップデートカウンタの値の最も大きな選択情報を、欠陥管理ユニット１８ａに通知する。
【００９８】
欠陥管理ユニット１８ａは、選択管理ユニット１８ｂから通知された選択情報が指し示すＤＭＡセットを使用すべきＤＭＡセットであると特定し、光ヘッド１２、位置決め制御回路１３、信号処理回路１６及び復調回路１７を用いて、対応するＤＭＡセットから欠陥管理情報を再生する。
【００９９】
図８の場合、前記ＤＭＡマネージャ・アップデートカウンタの値の最も大きな選択情報が記録されたＤＭＡマネージャセットはＤＭＡマネージャセット＃２であり、選択管理ユニット１８ｂからはＤＭＡマネージャセット＃２から抽出した選択情報を欠陥管理ユニット１８ａに出力する。ＤＭＡマネージャセット＃２の選択情報が指し示すＤＭＡセットはＤＭＡセット＃３であるので、欠陥管理ユニット１８ａは、ＤＭＡセット＃３を使用すべきＤＭＡセットであると特定し、欠陥管理情報を抽出する。制御ユニット１８ｃは、特定されたＤＭＡセット＃３の内容に基づいて、光ディスク媒体１１への記録又は再生を行うことになる。上述したように、前記履歴情報は、前記選択情報を更新する毎に計数される更新回数データ、或いは前記選択情報の更新回数と同数のビットを０又は１とするフラグデータである。
【０１００】
なお、図９に示す記録制御回路１４及び変調回路１５を備えていない情報再生装置では、選択情報が記録された際における最新の欠陥管理情報の記録位置を示す情報である前記選択情報に含まれる履歴情報に基づいて、使用すべき最新の欠陥管理情報が記録されたＤＭＡセットを特定する動作のみが行われる。また、情報記録再生装置であっても、ＤＭＡ及びＤＭＡマネージャ領域の記録内容を更新しない情報記録再生装置では、選択情報が記録された際における最新の欠陥管理情報の記録位置を示す情報である前記選択情報に含まれる履歴情報に基づいて、使用すべき最新の欠陥管理情報が記録されたＤＭＡセットを特定する動作のみが行われる。
【０１０１】
（実施形態４）
次に、本発明の実施形態に係る他の欠陥情報管理方法を実施形態４として説明する。
【０１０２】
本実施形態４に係る欠陥管理方法は実施形態３と同様にステップ１からステップ６までの処理を行い、ＤＭＡセットに光ディスク媒体の欠陥管理情報を記録し、ＤＭＡマネージャセットに、ＤＭＡセットを選択するための選択情報を記録する処理を実施する構成において共通している。さらに、ＤＭＡセット及びＤＭＡマネージャセットの内容を更新する方法は実施形態３と同様である。
【０１０３】
本実施形態４に係る欠陥情報管理方法において、ＤＭＡマネージャセットに記録された選択情報に基づいて、使用すべき最新のＤＭＡセットを特定する手順を説明する。
【０１０４】
選択管理ユニット１８ｂは、光ヘッド１２、位置決め制御回路１３、信号処理回路１６及び復調回路１７を用いて、ＤＭＡマネージャセット＃１〜＃１０に含まれる全てのＤＭＡマネージャセットに記録された選択情報を読み出す。そして、選択管理ユニット１８ｂは、全てのＤＭＡマネージャセットから読出された選択情報のうち、エラー訂正可能であって、かつ有効なデータ構造を備えたＤＭＡマネージャ領域のうち、ＤＭＡマネージャ・アップカウンタの値の最も大きい選択情報が記録されたＤＭＡマネージャ領域が属するＤＭＡマネージャセットを、使用すべき最新の選択情報が記録されたＤＭＡマネージャセットとして選定する。
【０１０５】
次に、選択管理ユニット１８ｂは、前記選定したＤＭＡマネージャセットに記録された選択情報が全て同一内容であるときは、前記ＤＭＡマネージャセットに記録された選択情報を、信頼度が高いことを示す情報と共に、欠陥管理ユニット１８ａに通知する。
【０１０６】
これに対して、前記選定したＤＭＡマネージャセットに異なる選択情報が記録されているときは、選択管理ユニット１８ｂは、前記ＤＭＡマネージャ・アップデートカウンタの値が最も大きな選択情報を、信頼度が低いことを示す情報と共に、欠陥管理ユニット１８ａに通知する。
【０１０７】
次に、欠陥管理ユニット１８ａは、選択管理ユニット１８ｂから通知された選択情報の信頼度が高い場合には、選択管理ユニット１８ｂから通知された選択情報が指し示すＤＭＡセットを使用すべきＤＭＡセットであると特定し、光ヘッド１２、位置決め制御回路１３、信号処理回路１６及び復調回路１７を用いて、対応するＤＭＡセットから欠陥管理情報を再生する。
【０１０８】
一方、選択管理ユニット１８ｂから通知された選択情報の信頼度が低い場合には、選択管理ユニット１８ｂから通知された選択情報を、未だ確定していない候補情報であると判断する。ＤＭＡセット＃１〜＃１００から最新の欠陥管理情報を記録したＤＭＡセットを特定するため、欠陥管理ユニット１８ａは、光ヘッド１２、位置決め制御回路１３、信号処理回路１６及び復調回路１７を用いて、前記候補情報と判断された前記選択情報を基に、検索範囲を限定して、ＤＭＡセットを逐次検索して最新の管理情報が記録されたＤＭＡセットを特定する。具体的に説明すると、例えば、前記候補情報と判断された前記選択情報がＤＭＡセット＃Ｄを指し示していた場合、ＤＭＡセット＃Ｄを基点として、ＤＭＡセットを逐次検索して、最新の管理情報が記録されたＤＭＡセットを特定する。
【０１０９】
同様に、使用すべき最新の選択情報を記録したＤＭＡマネージャセットであると判定されたＤＭＡマネージャセットに、エラー訂正不能、或いは無効なデータ構造を持ったＤＭＡマネージャ領域が含まれていた場合にも、選択情報の内容の一致が得られなかった場合と同様に、信頼度が低い選択情報であるものとして処理することで、確実に使用すべき最新の欠陥管理情報を記録したＤＭＡセットを選定することができる。
【０１１０】
本実施形態４において、図９に示す記録制御回路１４及び変調回路１５を備えていない情報再生装置では、選択情報が記録された際の最新の欠陥管理情報を記録した位置を示す情報である前記選択情報に含まれる履歴情報に基づいて、使用すべき最新の欠陥管理情報が記録されたＤＭＡセットを特定する動作のみが行われる。また、情報記録再生装置であっても、ＤＭＡ及びＤＭＡマネージャ領域の記録内容を更新しない情報記録再生装置では、選択情報が記録された際における最新の欠陥管理情報の記録位置を示す情報である前記選択情報に含まれる履歴情報に基づいて、使用すべき最新の欠陥管理情報が記録されたＤＭＡセットを特定する動作のみが行われる。
【０１１１】
以上に述べてきたように、これらの本発明の実施形態に係る情報記録媒体、欠陥情報管理方法、情報記録再生装置及び情報再生装置を用いることにより、最新の選択情報が記録されたものとして選定したＤＭＡマネージャセット内のＤＭＡマネージャ領域間で、選択情報が食い違っていても、短時間で確実に最新の欠陥管理情報が記録されたＤＭＡセットを特定することができる。
【０１１２】
最新のＤＭＡマネージャセットを特定するためには、選択情報領域内のＤＭＡマネージャセット群から探索しなければならない。本発明の実施形態では、最新であることを直接判別できる履歴情報が存在することにより、ＤＭＡマネージャ領域の履歴情報領域のみを評価するだけで済むので、探索手順を単純化することができる。
【０１１３】
また、最新の選択情報が記録されたものとして選定したＤＭＡマネージャセットの信頼性が低い場合であっても、選定したＤＭＡマネージャセットに含まれる選択情報を利用することで、短時間で確実に最新の欠陥管理情報が記録されたＤＭＡセットを特定することができる。
【０１１４】
なお、選択情報を用いず、ＤＭＡセットを逐次検索することで、最新の欠陥管理情報が記録されたＤＭＡセットを特定することは可能であるが、前記の例ではＤＭＡセットは１００組あり、それぞれが四つのＤＭＡからなるため、検索範囲を限定しない逐次検索には時間がかかりすぎ実用的ではない。そこで、本発明では、選定したＤＭＡマネージャセットに記録された選択情報を、検索範囲を限定するために利用することにより、検索範囲を限定することで大幅な時間短縮を実現できる。
【産業上の利用可能性】
【０１１５】
以上説明したように本発明は、欠陥管理情報を複数組記録できる欠陥情報領域と、欠陥情報領域から１組の欠陥管理情報を選択するための選択情報を複数組記録できる選択情報領域とを備えた情報記録媒体に適用でき、使用すべき欠陥管理情報を、短時間で信頼性高く特定することができる。
【図面の簡単な説明】
【０１１６】
【図１】本発明の実施形態１に係る情報記録媒体のデータ構造を示す概略図である。
【図２】本発明の実施形態に係る情報記録媒体のデータ構造を示す概略図である。
【図３】本発明の実施形態１に係る情報記録媒体における領域ＭＡＮ１及び領域ＤＭＡ１，２の構成を示す図である。
【図４】本発明の実施形態１に係る情報記録媒体における領域ＭＡＮ２及び領域ＤＭＡ３，４の構成を示す図である。
【図５】本発明の実施形態１に係る情報記録媒体における選択情報を構成する６４バイトの情報ユニットのデータ構造を示す図である。
【図６】本発明の実施形態４に係る欠陥情報管理方法を示す説明図であって、情報記録媒体の初期化直後のＤＭＡセット及びＤＭＡマネージャセットの状態を示す図である。
【図７】本発明の実施形態４に係る欠陥情報管理方法を示す説明図であって、情報記録媒体の使用中のＤＭＡセット及びＤＭＡマネージャセットの状態を示す図である。
【図８】本発明の実施形態４に係る欠陥情報管理方法を示す説明図であって、情報記録媒体の使用中のＤＭＡセット及びＤＭＡマネージャセットの状態を示す図である。
【図９】本発明の実施形態３に係る情報記録再生装置を示すブロック図である。
【図１０】本発明の実施形態２に係る情報記録媒体における選択情報を構成する６４バイトの情報ユニットのデータ構造を示す図である。
【符号の説明】
【０１１７】
１０  光ディスク記録再生装置
１１  光ディスク媒体
１２  光ヘッド
１３  位置決め制御回路
１４  記録制御回路
１５  変調回路
１６  信号処理回路
１７  復調回路
１８  主制御回路
１８ａ  欠陥管理ユニット
１８ｂ  選択管理ユニット
１８ｃ  制御ユニット
【図１】
2006236552.tif 000003
【図２】
2006236552.tif 000004
【図３】
2006236552.tif 000005
【図４】
2006236552.tif 000006
【図５】
2006236552.tif 000007
【図６】
2006236552.tif 000008
【図７】
2006236552.tif 000009
【図８】
2006236552.tif 000010
【図９】
2006236552.tif 000011
【図１０】
2006236552.tif 000012